(57)【特許請求の範囲】
【請求項１】
表示面を有する表示部と、
前記表示面に第１選択領域を割り当てる制御部と、
前記表示面への接触点の位置を検出する検出部と
を備え、
前記第１選択領域は、複数のファイルのそれぞれに対応する複数の第２選択領域を含み、
前記検出部が前記複数の第２選択領域のうち前記複数のファイルの順序において末尾に近いファイルに対応する第２選択領域内で前記接触点を検出することに応じて、前記制御部は、前記複数の第２選択領域のそれぞれに対応する前記複数のファイルを変更する、表示装置。
【請求項２】
前記制御部は、前記接触点の前記第１選択領域内での移動に応じて、前記複数の第２選択領域のそれぞれに対応する前記複数のファイルを変更する、請求項１に記載の表示装置。
【請求項３】
前記制御部は、前記第１選択領域に隣接するように前記表示面に識別子表示領域を割り当て、
前記制御部は、前記表示部のうち前記識別子表示領域に対応する領域には、前記複数の第２選択領域のそれぞれに対応する領域に隣り合うように、前記複数の第２選択領域のそれぞれに対応する前記複数のファイルの識別子を表示させる、請求項１または請求項２に記載の表示装置。
【請求項４】
前記検出部が前記複数の第２選択領域のうち所定の数の第２選択領域を通過する前記接触点を検出することに応じて、前記制御部は、前記第１選択領域に含まれる前記複数の第２選択領域の全てに対応する前記複数のファイルを選択する、請求項１から請求項３のいずれか１項に記載の表示装置。
【請求項５】
前記制御部は、通常選択モードを連続選択モードに切り替え可能であり、
前記連続選択モードにおいて、前記制御部は、
前記複数の第２選択領域のうち前記接触点が通過した第２選択領域に対応するファイルを選択し、
識別子表示領域内で移動する前記接触点を検出すると、前記複数の第２選択領域のそれぞれに対応する前記複数のファイルを変更し、
前記第１選択領域内で移動する前記接触点が検出されると、前記複数の第２選択領域のそれぞれに対応する前記複数のファイルを変更しない、請求項１から請求項４のいずれか１項に記載の表示装置。
【請求項６】
前記連続選択モードにおいて、前記第１選択領域を通過して前記識別子表示領域へ移動する前記接触点を検出すると、前記制御部は、前記複数の第２選択領域のそれぞれに対応する前記複数のファイルを変更する、請求項５に記載の表示装置。
【請求項７】
請求項１から請求項６のいずれか１項に記載の表示装置と、
選択された画像ファイルに基づいてシートに画像を形成する画像形成部と
を備える、画像形成装置。
【請求項８】
表示面を有する表示部と、
前記表示面に第１選択領域を割り当てる制御部と、
前記表示面への接触点の位置を検出する検出部と
を備え、
前記第１選択領域は、複数のファイルのそれぞれに対応する複数の第２選択領域を含み、
前記検出部が前記複数の第２選択領域のうち所定の数の第２選択領域を通過する前記接触点を検出することに応じて、前記制御部は、前記第１選択領域に含まれる前記複数の第２選択領域の全てに対応する前記複数のファイルを選択する、表示装置。
【発明の詳細な説明】
【技術分野】
【０００１】
本発明は、表示装置、及び画像形成装置に関する。
【背景技術】
【０００２】
特許文献１に開示されたデジタル映像再生装置は、サムネイル（ファイル）の一覧を表示するサムネイル表示部、及び選択ボタンを備える。デジタル映像再生装置では、選択ボタンが所定の時間より長く押下された場合、複数のサムネイルを連続して選択することができる。
【先行技術文献】
【特許文献】
【０００３】
【特許文献１】特開２０１２−２３０５７０号公報
【発明の概要】
【発明が解決しようとする課題】
【０００４】
しかしながら、特許文献１に記載されたデジタル映像再生装置では、ユーザーは、選択ボタンを所定の時間より長く押下した後、カーソルボタンを押下して複数のサムネイルを選択していく。従って、ユーザーは、サムネイルを選択する度にカーソルボタンを押下するため、連続してサムネイルを選択する操作が煩雑である。
【０００５】
本発明は、上記課題に鑑みてなされたものであり、簡易な操作で複数のファイルを選択できる表示装置及び画像形成装置を提供することを目的としている。
【課題を解決するための手段】
【０００６】
本発明の第１の観点によれば、表示装置は、表示部と、制御部と、検出部とを備える。表示部は、表示面を有する。制御部は、前記表示面に第１選択領域を割り当てる。検出部は、前記表示面への接触点の位置を検出する。前記第１選択領域は、複数のファイルのそれぞれに対応する複数の第２選択領域を含む。前記検出部が前記第１選択領域内で所定時間以上停止した接触点を検出した後、前記制御部は、前記複数の第２選択領域のうち前記接触点が通過した前記第２選択領域に対応する前記ファイルを選択する。
【０００７】
本発明の第２の観点によれば、画像形成装置は、本発明の第１の観点による表示装置と、画像形成部とを備える。画像形成部は、選択された前記ファイルに基づいてシートに画像を形成する。
【発明の効果】
【０００８】
本発明によれば、簡易な操作で複数のファイルを選択できる。
【図面の簡単な説明】
【０００９】
【図１】本発明の実施形態１に係る表示装置を示す図である。
【図２】本発明の実施形態１に係る表示装置が備える表示部を示す図である。
【図３】本発明の実施形態１に係る表示装置が実行する連続選択制御を示す図である。
【図４】本発明の実施形態１に係る表示装置が実行する連続選択制御を示すフローチャートである。
【図５】本発明の実施形態２に係る画像形成装置を説明するための模式的断面図である。
【発明を実施するための形態】
【００１０】
以下、本発明の実施形態について、図面を参照しながら説明する。なお、図中、同一または相当部分については同一の参照符号を付して説明を繰り返さない。
【００１１】
（実施形態１）
図１及び図２を参照して、本発明の実施形態１に係る表示装置１について説明する。図１は、表示装置１を示す。表示装置１は、制御部１０と、表示部２０と、検出部としてのタッチパネル３０とを備える。
【００１２】
図２は、表示装置１が備える表示部２０を示す。表示部２０は、画像を表示する。表示部２０は、例えば、液晶ディスプレーである。表示部２０は、表示面２０Ａを有する。Ｘ軸は、表示部２０の表示面２０Ａの短辺と平行であり、Ｙ軸は、表示部２０の表示面２０Ａの長辺と平行である。
【００１３】
制御部１０は、表示部２０の表示面２０Ａに２つの第１選択領域ＡＳ１及び２つの識別子表示領域ＡＮを割り当てる。２つの第１選択領域ＡＳ１及び２つの識別子表示領域ＡＮのそれぞれは、表示面２０Ａの長辺における一方端から他方端までに延びるように割り当てられている。また、第１選択領域ＡＳ１及び識別子表示領域ＡＮは、表示面２０Ａの短辺に沿って交互に割り当てられている。つまり、識別子表示領域ＡＮは、第１選択領域ＡＳ１に隣接するように表示面２０Ａに割り当てられる。なお、図２では、説明の便宜上、２つの第１選択領域ＡＳ１及び２つの識別子表示領域ＡＮのそれぞれを破線で示すが、実際には破線は存在しない。
【００１４】
第１選択領域ＡＳ１は、複数のファイルのそれぞれに対応する複数の第２選択領域ＡＳ２を含む。複数のファイルは、例えば、表示装置１が備える記憶部（不図示）から取得される。複数のファイルは、例えば、データファイル、画像ファイル、又は音声ファイルである。なお、複数のファイルは、外部装置から取得されてもよい。表示部２０のうち、第２選択領域ＡＳ２に対応する領域には、例えば、チェックボックスが表示される。すなわち、第２選択領域ＡＳ２に表示される複数のチェックボックスのそれぞれは、複数のファイルに対応する。
【００１５】
本実施形態において、第１選択領域ＡＳ１には、表示面２０Ａの左上から表示面２０Ａの左下に向かう順序で８個の第２選択領域ＡＳ２が配置される。表示面２０Ａの左下に配置された第２選択領域ＡＳ２の次に、表示面２０Ａの右上に第２選択領域ＡＳ２が配置される。そして、表示面２０Ａの右上から表示面２０Ａの右下に向かう順序で８個の第２選択領域ＡＳ２が配置される。ユーザーは、複数の第２選択領域ＡＳ２のそれぞれに対応する複数のファイルの順序を設定できる。例えば、ユーザーは、複数のファイルのそれぞれのファイル名の順に、複数のファイルのそれぞれを複数の第２選択領域ＡＳ２に対応させる。
【００１６】
制御部１０は、表示部２０のうち、識別子表示領域ＡＮに対応する領域には、例えば、複数の第２選択領域ＡＳ２のそれぞれに隣り合うように、複数の第２選択領域ＡＳ２のそれぞれに対応する複数のファイルの識別子が表示させる。本実施形態において、複数のファイルの識別子はファイル名である。具体的には、図２に示す表示面２０Ａの左上に割り当てられる第２選択領域ＡＳ２は、ファイル１７に対応している。ファイル１７のファイル名は、「ファイル１７」である。従って、識別子表示領域ＡＮのうち、ファイル１７に対応する第２選択領域ＡＳ２に隣り合う領域に対応する表示部２０の領域には、ファイル１７のファイル名が表示されている。なお、複数のファイルの識別子は、サムネイル又はアイコン等でもよい。
【００１７】
タッチパネル３０は、表示部２０の表示面２０Ａへの接触点の位置を検出する。また、タッチパネル３０は、表示部２０の表示面２０Ａへの接触点の接触時間を測定する。本明細書では、例えば、ユーザーは一本の指でタッチパネル３０を操作する。
【００１８】
制御部１０は、通常選択モード及び連続選択モードを有する。通常選択モードにおいて、ユーザーは、複数のファイルを１つずつ選択する。一方、連続選択モードにおいて、ユーザーは、複数のファイルを連続して選択する。表示部２０は、選択されたモードが表示されるモード表示枠２１を含む。ユーザーは、モード表示枠２１を視認することで現在選択されているモードを確認できる。以下、通常選択モード及び連続選択モードの詳細について説明する。
【００１９】
まず、図２を参照して通常選択モードの詳細について説明する。通常選択モードにおいて、タッチパネル３０が複数の第２選択領域ＡＳ２のいずれかの位置で接触点を検出すると、制御部１０は、接触点が検出された位置の第２選択領域ＡＳ２に対応するファイルを選択する。具体的には、図２に示すように、タッチパネル３０がファイル２９に対応する第２選択領域ＡＳ２内の位置Ｐ１０で接触点を検出すると、制御部１０は、ファイル２９を選択する。ユーザーは、通常選択モードにおいて、複数のファイルを選択する場合、表示面２０Ａのうち、選択する複数のファイルのそれぞれに対応する複数の第２選択領域ＡＳ２内を順次接触する。
【００２０】
制御部１０は、選択したファイルに対応するチェックボックスが目立つように表示部２０に表示させる。例えば、図２に示すように、制御部１０は、表示部２０に、選択したファイルに対応するチェックボックス内にチェックマークを表示させる。ユーザーは、チェックマークを視認することによって、複数の第２選択領域ＡＳ２のそれぞれに対応する複数のファイルのうち、いずれのファイルが選択されているかを確認できる。なお、いずれのファイルが選択されているかをユーザーに確認させるために、制御部１０は、チェックボックスの色を変更してもよいし、選択されたファイルに対応する識別子を網掛けしてもよい。ユーザーは、選択したファイルを解除する場合、例えば、選択されたファイルに対応する第２選択領域ＡＳ２内を接触する。
【００２１】
また、通常選択モードにおいて、制御部１０は、表示部２０の表示面２０Ａ内、すなわち接触点の第１選択領域ＡＳ１内又は識別子表示領域ＡＮ内での移動に応じて、複数の第２選択領域ＡＳ２のそれぞれに対応する複数のファイルを変更する。具体的には、制御部１０は、表示面２０Ａ内で移動する接触点の移動ベクトルのＹ軸に沿った成分（以下、本明細書においてＹ成分という）に応じて、複数の第２選択領域ＡＳ２のそれぞれに対応する複数のファイルを変更する。
【００２２】
例えば、移動ベクトルのＹ成分が閾値以上である接触点が表示面２０Ａ内で検出される場合、制御部１０は、検出された接触点の移動ベクトルのＹ成分の方向に基づいて、複数の第２選択領域ＡＳ２のそれぞれに対応する複数のファイルを変更する。接触点の移動ベクトルのＹ成分が閾値以上であり、Ｙ軸の正方向を向いていれば、複数の第２選択領域ＡＳ２のそれぞれに対応している複数のファイルは、ユーザーが設定した複数のファイルの順序において末尾に近いファイルに変更される。一方、移動ベクトルのＹ成分が閾値以上であり、Ｙ軸の負方向を向いていれば、複数の第２選択領域ＡＳ２のそれぞれに対応している複数のファイルは、ユーザーが設定した複数のファイルの順序において先頭に近いファイルに変更される。
【００２３】
以下、具体例を挙げて説明する。本具体例において、接触点の移動ベクトルのＹ成分の閾値を０．２インチ（約０．５ｃｍ）とし、第１選択領域ＡＳ１には、１６個の第２選択領域ＡＳ２が含まれる。１６個の第２選択領域ＡＳ２のそれぞれは、ファイル１７〜ファイル３２に対応する。表示装置１の記憶部には、ファイル１〜ファイル４８が記憶されている。ユーザーは、ファイル１〜ファイル４８のそれぞれのファイル名の順に、ファイル１〜ファイル４８のそれぞれを複数の第２選択領域ＡＳ２に対応させる。
【００２４】
まず、タッチパネル３０は、移動ベクトルのＹ成分が０．２インチ（約０．５ｃｍ）以上であり、Ｙ軸の正の方向を向いている接触点を表示面２０Ａ内で検出する。すると、制御部１０は、複数の第２選択領域ＡＳ２のそれぞれに対応するファイル１７〜ファイル３２を、ユーザーが設定した複数のファイルの順序において末尾に近いファイル３３〜ファイル４８に変更する。また、制御部１０は、識別子表示領域ＡＮのうち複数の第２選択領域ＡＳ２のそれぞれに隣り合う領域に対応するように、ファイル３３〜ファイル４８のそれぞれの識別子としてのファイル名を表示部２０に表示させる。
【００２５】
一方、タッチパネル３０は、移動ベクトルのＹ成分が０．２インチ（約０．５ｃｍ）以上であり、Ｙ軸の負の方向を向いている接触点を表示面２０Ａ内で検出する。すると、制御部１０は、複数の第２選択領域ＡＳ２のそれぞれに対応するファイル１７〜ファイル３２を、ユーザーが設定した複数のファイルの順序において先頭に近いファイル１〜ファイル１６に変更する。また、制御部１０は、識別子表示領域ＡＮのうち複数の第２選択領域ＡＳ２のそれぞれに隣り合う領域に対応するように、ファイル１〜ファイル１６のそれぞれの識別子としてのファイル名を表示部２０に表示させる。
【００２６】
次に、図３を参照して連続選択モードの詳細について説明する。図３は、連続選択モードにおいて、表示装置１が実行する連続選択制御を示す。連続選択制御とは、ユーザーが表示面２０Ａをなぞることによって複数のファイルを連続して選択する制御のことである。なお、図３では、図２と同様に、説明の便宜上、２つの第１選択領域ＡＳ１及び２つの識別子表示領域ＡＮのそれぞれを破線で示すが、実際には破線は存在しない。タッチパネル３０が第１選択領域ＡＳ１内で所定時間以上停止した接触点を検出することに応じて、制御部１０は、通常選択モードから連続選択モードに切り替える。ユーザーは、所定時間を任意に設定できる。例えば、所定時間が２秒に設定される場合、タッチパネル３０が第１選択領域ＡＳ１内で２秒以上停止した接触点を検出することに応じて、制御部１０は、通常選択モードから連続選択モードに切り替える。
【００２７】
連続選択モードでは、制御部１０は、複数の第２選択領域ＡＳ２のうち接触点が通過した第２選択領域ＡＳ２に対応するファイルを選択する。例えば、図３に示すように、タッチパネル３０が矢印Ａ１のように位置Ｐ２０から位置Ｐ３０に移動する接触点を検出する。すなわち、タッチパネル３０は、ファイル１８〜ファイル２３のそれぞれに対応する第２選択領域ＡＳ２を通過して移動する接触点を検出する。従って、制御部１０は、ファイル１８〜ファイル２３を選択すると共に、ファイル１８〜ファイル２３のそれぞれに対応するチェックボックスを目立たせる。本実施形態では、ファイル１８〜ファイル２３のそれぞれに対応するチェックボックス内にチェックマークが表示される。
【００２８】
制御部１０は、連続選択モードにおいて、表示面２０Ａのうち識別子表示領域ＡＮ内での接触点の移動に応じて、通常選択モードと同様に複数の第２選択領域ＡＳ２のそれぞれに対応する複数のファイルを変更する。一方、制御部１０は、連続選択モードにおいて、表示面２０Ａのうち第１選択領域ＡＳ１内で移動する接触点が検出されると、複数の第２選択領域ＡＳ２のそれぞれに対応する複数のファイルを維持させる。すなわち、連続選択モードにおいて、ユーザーが表示面２０Ａの第１選択領域ＡＳ１内をなぞっても複数の第２選択領域ＡＳ２のそれぞれに対応する複数のファイルは変更されず、識別子表示領域ＡＮに対応する領域に表示される複数の識別子も変更されない。従って、連続選択モードにおいて、ユーザーが第１選択領域ＡＳ１内をなぞる場合、表示部２０の表示内容は変更されない。
【００２９】
制御部１０は、タッチパネル３０が第１選択領域ＡＳ１内で所定時間以上停止した接触点を検出することに応じて、連続選択モードから通常選択モードに切り替える。なお、制御部１０は、選択されたモードが表示されるモード表示枠２１が接触されることに応じて、連続選択モードから通常選択モードに切り替えてもよい。連続選択モードにおいて、ユーザーが第１選択領域ＡＳ１内をなぞった後に、表示面２０Ａへの接触を離した場合、連続選択モードが維持されてもよいし、通常選択モードに切り替えられてもよい。
【００３０】
図１〜図４を参照して、表示装置１が実行する連続選択制御方法について説明する。図４は、連続選択制御方法を示すフローチャートである。連続選択制御方法は、ステップＳ１０〜ステップＳ６０を実行することによって、複数のファイルを連続して選択する。具体的には以下の通りである。まず、制御部１０は、通常選択モードを選択している。
【００３１】
ステップＳ１０において、タッチパネル３０が、第１選択領域ＡＳ１内で接触点を検出する。ステップＳ２０において、制御部１０は、検出された接触点の位置が、第２選択領域ＡＳ２内であるか否かを判定する。ステップＳ２０において肯定的判定（ＹＥＳ）がされた場合、処理は、ステップＳ３０に進む。ステップＳ３０において、制御部１０は、検出された接触点が位置する第２選択領域ＡＳ２に対応するファイルを選択する。ステップＳ２０において否定的判定（ＮＯ）がされた場合、処理は、ステップＳ４０に進む。
【００３２】
ステップＳ４０において、制御部１０は、タッチパネル３０が検出した接触点の停止する時間、すなわち、接触点の表示面２０Ａとの接触時間が所定時間を超えたか否かを判定する。ステップＳ４０において否定的判定（ＮＯ）がされた場合、処理は、ステップＳ１０に戻る。すなわち、検出された接触点の表示面２０Ａとの接触時間が所定時間を超えなければ、通常選択モードが維持される。ステップＳ４０において肯定的判定（ＹＥＳ）がされた場合、処理は、ステップＳ５０に進む。ステップＳ５０において、制御部１０は、通常選択モードから連続選択モードに切り替える。
【００３３】
ステップＳ６０において、制御部１０は、タッチパネル３０に検出された接触点が通過した第２選択領域ＡＳ２に対応するファイルを選択していく。すなわち、ユーザーは、表示面２０Ａに表示されるチェックボックスをなぞることで、複数のファイルを連続して選択する。
【００３４】
以上、図１〜図４を参照して説明したように、実施形態１によれば、第１選択領域ＡＳ１で所定時間以上停止した接触点が検出されると、通常選択モードから連続選択モードに変更される。従って、ユーザーは、表示部２０の表示面２０Ａをタッチするだけで、モードを連続選択モードに切り替えることができる。その結果、ユーザーは、簡易な操作でファイルを連続選択モードに移行できる。
【００３５】
また、実施形態１によれば、第１選択領域ＡＳ１内で所定時間以上停止した接触点が検出された後、すなわち連続選択モードにおいて、制御部１０は、接触点が通過した第２選択領域ＡＳ２に対応するファイルが選択される。従って、ユーザーは、表示面２０Ａ上で指を動かして複数のファイルを選択できる。その結果、ユーザーは、簡易な操作で複数のファイルを選択できる。
【００３６】
さらに、実施形態１によれば、連続選択モードにおいて、第１選択領域ＡＳ１内で移動する接触点に応じて複数の第２選択領域ＡＳ２のそれぞれに対応する複数のファイルが維持される。従って、ユーザーは、連続選択モードにおいて、複数の第２選択領域ＡＳ２のそれぞれに対応する複数のファイルを維持させつつ、表示面２０Ａ上で指を動かして複数のファイルを選択できる。その結果、ユーザーは、さらに簡易な操作で複数のファイルを選択できる。
【００３７】
次に、図１及び図２を参照して実施形態１の第１の変形例について説明する。タッチパネル３０が、複数の第２選択領域ＡＳ２のうち、所定の第２選択領域ＡＳ２内で接触点を検出することに応じて、制御部１０は、複数の第２選択領域ＡＳ２のそれぞれに対応する複数のファイルを変更する。
【００３８】
例えば、所定の第２選択領域ＡＳ２は、表示面２０Ａの右下に割り当てられた第２選択領域ＡＳ２である。表示面２０Ａの右下に割り当てられた第２選択領域ＡＳ２は、複数の第２選択領域ＡＳ２のそれぞれに対応する複数のファイルのうち、ユーザーが設定した複数のファイルの順序において末尾に近いファイルに対応する。この場合、タッチパネル３０が表示面２０Ａの右下に割り当てられた第２選択領域ＡＳ２内で接触点を検出することに応じて、制御部１０は、複数の第２選択領域ＡＳ２のそれぞれに対応している複数のファイルを変更する。複数の第２選択領域ＡＳ２のそれぞれに対応している複数のファイルは、例えば、ユーザーが設定した複数のファイルの順序において末尾に近いファイルに変更される。
【００３９】
第１の変形例によれば、所定の第２選択領域ＡＳ２内で接触点が検出されること、すなわち、所定の第２選択領域ＡＳ２内に対応するファイルが選択されることに応じて、複数の第２選択領域ＡＳ２のそれぞれに対応するファイルが変更される。例えば、複数の第２選択領域ＡＳ２のそれぞれに対応する複数のファイルのうち、ユーザーが設定した複数のファイルの順序において末尾に近いファイルが選択されることに応じて、複数の第２選択領域ＡＳ２に対応する複数のファイルが変更される。従って、ユーザーは、表示面２０Ａを接触することで、複数の第２選択領域ＡＳ２のそれぞれに対応する複数のファイルを変更できる。つまり、ユーザーは、表示面２０Ａを接触することで、表示部２０に表示される複数のファイルを他の複数のファイルに変更できる。その結果、ユーザーは、簡易な操作で、複数のファイルを選択できる。
【００４０】
次に、図１及び図２を参照して実施形態１の第２の変形例について説明する。タッチパネル３０が、複数の第２選択領域ＡＳ２のうち所定の数の第２選択領域ＡＳ２を通過する接触点を検出することに応じて、制御部１０は、第１選択領域ＡＳ１に含まれる複数の第２選択領域ＡＳ２のそれぞれに対応する全てのファイルを選択する。ユーザーは、所定の数を任意に設定できる。所定の数は、例えば、第１選択領域ＡＳ１に含まれる全ての第２選択領域ＡＳ２の個数の５０％である。この場合、タッチパネル３０が複数の第２選択領域ＡＳ２の５０％以上の第２選択領域ＡＳ２を通過する接触点を検出することに応じて、制御部１０は、第１選択領域ＡＳ１に含まれる第２選択領域ＡＳ２のそれぞれに対応する全てのファイルを選択する。具体的には、第１選択領域ＡＳ１に第２選択領域ＡＳ２が１８個含まれる場合、所定の数は９個である。従って、タッチパネル３０が９個以上の第２選択領域ＡＳ２を通過する接触点を検出することに応じて、１８個の第２選択領域ＡＳ２のそれぞれに対応する全てのファイルが選択される。
【００４１】
第２の変形例によれば、複数の第２選択領域ＡＳ２のうち、接触点の所定の数の第２選択領域ＡＳ２の通過が検出されること、すなわち、所定の数の第２選択領域ＡＳ２のそれぞれに対応するファイルが選択されることに応じて、第１選択領域ＡＳ１に含まれる全ての第２選択領域ＡＳ２のそれぞれに対応するファイルが選択される。従って、ユーザーは、表示面２０Ａの一部をなぞることで、第１選択領域ＡＳ１に含まれる全ての第２選択領域ＡＳ２のそれぞれに対応する複数のファイルを選択できる。その結果、ユーザーは、簡易な操作で複数のファイルを選択できる。
【００４２】
次に、図１及び図３を参照して実施形態１の第３の変形例について説明する。第３の変形例において、複数の第２選択領域ＡＳ２のそれぞれは、ファイル１７〜ファイル３２に対応している。連続選択モードにおいて、タッチパネル３０が第１選択領域ＡＳ１を通過して、第１選択領域ＡＳ１外、すなわち識別子表示領域ＡＮに移動する接触点を検出すると、制御部１０は、複数の第２選択領域ＡＳ２のそれぞれに対応する複数のファイルを変更する。すなわち、連続選択モードにおいて、ユーザーが表示面２０Ａの第１選択領域ＡＳ１内をなぞり、さらに識別子表示領域ＡＮをなぞると、複数の第２選択領域ＡＳ２のそれぞれに対応するファイルが変更される。複数の第２選択領域ＡＳ２のそれぞれに対応しているファイル１７〜ファイル３２は、例えば、ユーザーが設定した複数のファイルの順序において末尾に近いファイル３３〜ファイル４８に変更される。
【００４３】
第３の変形例によれば、連続選択モードにおいて、ユーザーが第１選択領域ＡＳ１内をなぞり、さらに識別子表示領域ＡＮをなぞることによって、複数の第２選択領域ＡＳ２のそれぞれに対応するファイルが変更される。複数の第２選択領域ＡＳ２のそれぞれに対応している複数のファイルは、例えば、ユーザーが設定した複数のファイルの順序において末尾に近いファイルに変更される。従って、ユーザーは、第１選択領域ＡＳ１をなぞり、さらに識別子表示領域ＡＮをなぞることで、複数の第２選択領域ＡＳ２のそれぞれに対応する複数のファイルを変更できる。その結果、ユーザーは、簡易な操作で、複数のファイルを選択できる。
【００４４】
（実施形態２）
図５を参照して、本発明の実施形態２に係る画像形成装置２について説明する。図５は、画像形成装置２を示す。画像形成装置２は、例えば、複写機、プリンター、ファクシミリ、又は複合機である。複合機は、例えば、複写機、プリンター、及びファクシミリのうち少なくとも２つの機器を備える。
【００４５】
画像形成装置２は、制御部１０と、原稿搬送部１００と、画像読取部１１０と、収納部１２０と、搬送部１３０と、画像形成部１４０と、定着部１５０と、排出部１６０と、複数のファイルを記憶する記憶部１７０とを備える。シートＴは、シート搬送方向に沿って画像形成装置２の内部を搬送される。
【００４６】
制御部１０は、実施形態１に係る制御部１０として機能し、表示部２０は、実施形態１に係る表示部２０として機能し、タッチパネル３０は、実施形態１に係るタッチパネル３０として機能する。従って、画像形成装置２に備えられる制御部１０、表示部２０、及びタッチパネル３０は、実施形態１に係る表示装置１を構成する。
【００４７】
原稿搬送部１００は、画像読取部１１０に向けて原稿を搬送する。画像読取部１１０は、原稿の画像を読み取って画像データを生成する。収納部１２０はシートＴを収納する。収納部１２０は、カセット１２１及び手差しトレイ１２３を含む。カセット１２１はシートＴを積載する。シートＴは、カセット１２１又は手差しトレイ１２３から搬送部１３０に送り出される。シートＴは、例えば、普通紙、コピー紙、再生紙、薄紙、厚紙、光沢紙、又はＯＨＰ（Ｏｖｅｒｈｅａｄ  Ｐｒｏｊｅｃｔｏｒ）シートである。
【００４８】
搬送部１３０は、画像形成部１４０にシートＴを搬送する。画像形成部１４０は、感光体ドラム１４１、帯電部１４２、露光部１４３、現像部１４４、転写部１４５、クリーニング部１４６、及び除電部１４７を含み、シートＴに画像を形成（印刷）する。
【００４９】
画像の転写されたシートＴは定着部１５０に向けて搬送される。定着部１５０は、シートＴを加熱及び加圧して、シートＴに画像を定着させる。画像が定着されたシートＴは排出部１６０に向けて搬送される。排出部１６０はシートＴを排出する。
【００５０】
記憶部１７０は、主記憶装置（例えば、半導体メモリー）及び補助記憶装置（例えば、ハードディスクドライブ）を含む。
【００５１】
制御部１０は、画像形成装置２の各要素を制御する。具体的には、制御部１０が、記憶部１７０に格納されたコンピュータープログラムを実行することにより、表示部２０、原稿搬送部１００、画像読取部１１０、収納部１２０、搬送部１３０、画像形成部１４０、及び定着部１５０を制御する。制御部１０は、例えば、ＣＰＵ（Ｃｅｎｔｒａｌ  Ｐｒｏｃｅｓｓｉｎｇ  Ｕｎｉｔ）である。
【００５２】
以上、図５を参照して説明したように、実施形態２によれば、画像形成装置２は、実施形態１に係る表示装置１として機能する。従って、実施形態１と同様に、複数のファイルを連続して選択できる。その他、実施形態１と同様の効果を得ることができる。
【００５３】
以上、図面（図１〜図５）を参照しながら本発明の実施形態について説明した。但し、本発明は、上記の実施形態に限られるものではなく、その要旨を逸脱しない範囲で種々の態様において実施することが可能である（例えば、下記に示す（１）〜（３））。図面は、理解しやすくするために、それぞれの構成要素を主体に模式的に示しており、図示された各構成要素の厚み、長さ、個数等は、図面作成の都合上から実際とは異なる。また、上記の実施形態で示す各構成要素の形状、寸法等は一例であって、特に限定されるものではなく、本発明の効果から実質的に逸脱しない範囲で種々の変更が可能である。
【００５４】
（１）図２及び図３を参照して説明したように、２つの第１選択領域ＡＳ１及び２つの識別子表示領域ＡＮのそれぞれは、表示面２０Ａの長辺における一方端から他方端までに延びるように割り当てられた。ただし、２つの第１選択領域ＡＳ１及び２つの識別子表示領域ＡＮのそれぞれは、表示面２０Ａの短辺における一方端から他方端までに延びるように割り当てられてもよい。
【００５５】
（２）図２及び図３を参照して説明したように、表示部２０に含まれるモード表示枠２１によって、選択されているモードをユーザーに確認させた。ただし、制御部１０が表示部２０に表示される内容、例えば表示部２０に表示される背景色を選択されているモードに応じて変更させることで、選択されているモードをユーザーに確認させてもよい。
【００５６】
（３）接触点の移動ベクトルのＹ成分に基づいて、複数の第２選択領域ＡＳ２のそれぞれに対応する複数のファイルが変更された。ただし、接触点の移動ベクトルのＸ成分に基づいて、複数の第２選択領域ＡＳ２のそれぞれに対応する複数のファイルを変更させてもよい。
【産業上の利用可能性】
【００５７】
本発明は、表示装置及び画像形成装置に関するものであり、産業上の利用可能性を有する
【符号の説明】
【００５８】
１      表示装置
２      画像形成装置
１０    制御部
２０    表示部
２０Ａ  表示面
３０    タッチパネル（検出部）
ＡＳ１  第１選択領域
ＡＳ２  第２選択領域
ＡＮ    識別子表示領域
Ｔ      シート
【図１】
0006361579.tif 000002
【図２】
0006361579.tif 000003
【図３】
0006361579.tif 000004
【図４】
0006361579.tif 000005
【図５】
0006361579.tif 000006